(57)【要約】【課題】  作業効率の向上を図りながら撮影関連情報の画像の重複プリントを防止する。【解決手段】  電子的に取り込まれた写真画像にその撮影関連情報が画像として合成されてなる合成画像をプリント処理部７０で出力処理可能な写真処理装置１において、写真画像を表示する表示部４０と、表示された写真画像に対して撮影関連情報の合成を禁止する指示を行う合成禁止指示手段６３とを備える。プリント処理部７０は、合成禁止指示手段６３によって合成の禁止が指示された写真画像に対して撮影関連情報の画像を合成することなく出力する。【選択図】      図２
2005102067.tif 000002
【特許請求の範囲】
【請求項１】
電子的に取り込まれた写真画像にその撮影関連情報が画像として合成されてなる合成画像をプリント処理部で出力処理可能な写真処理装置において、
前記写真画像を表示する表示部と、表示された写真画像に対して前記撮影関連情報の合成を禁止する指示を行う合成禁止指示手段とを備え、前記プリント処理部は、前記合成禁止指示手段によって合成の禁止が指示された写真画像に対して前記撮影関連情報の画像を合成することなく出力することを特徴とする写真処理装置。
【請求項２】
電子的に取り込まれた写真画像にその撮影関連情報の画像を合成するモードの設定を行う合成モード設定手段を備え、前記合成禁止指示手段は、前記モード設定された写真画像に対して前記撮影関連情報の合成を禁止し、前記プリント処理部は、前記モード設定され、前記合成が禁止されていない写真画像を合成画像として出力し、前記モード設定され、前記合成が禁止されている写真画像に対して前記撮影関連情報の画像を合成することなく出力することを特徴とする請求項１記載の写真処理装置。
【請求項３】
前記合成禁止指示手段は、前記合成を禁止する指示の操作を外部から受け付ける外部操作部を備えることを特徴とする請求項１又は２記載の写真処理装置。
【請求項４】
電子的に取り込まれた写真画像にその撮影関連情報が画像として合成されてなる合成画像をプリント処理部で出力処理可能な写真処理装置において、
写真画像に前記撮影関連情報の画像が予め含まれているか否かを判断する判断手段と、前記判断手段によって前記写真画像に前記撮影関連情報の画像が予め含まれていると判断されたときに、前記合成を禁止する指示を行う合成禁止指示手段とを備え、前記プリント処理部は、前記合成禁止指示手段によって合成の禁止が指示された写真画像に対して前記撮影関連情報の画像を合成することなく出力することを特徴とする写真処理装置。
【請求項５】
前記撮影関連情報は撮影日付であることを特徴とする請求項１〜４のいずれかに記載の写真処理装置。
【発明の詳細な説明】
【技術分野】
【０００１】
本発明は、電子的に取り込まれた写真画像にその撮影関連情報が画像として合成されてなる各合成画像を出力処理する写真処理装置に関するものである。
【背景技術】
【０００２】
従来、ラボでは、デジタルカメラ等の撮像装置で撮像された写真画像を基に、写真フィルムと同様に写真画像を印画紙に焼き付けるサービスが提供されている。ラボに持ち込まれる写真画像には、ＤＰＯＦ（Ｄｉｇｉｔａｌ  Ｐｒｉｎｔ  Ｏｒｄｅｒ  Ｆｏｒｍａｔ）規格やＥｘｉｆ（Ｅｘｃｈａｎｇｅａｂｌｅ  ｉｍａｇｅｆｉｌｅｆｏｒｍａｔ）規格等で作成される場合に、撮影日時等の撮影関連情報を示すフロントプリントデータが付加されている場合がある。最近では、プリント注文の依頼主の要望に応じて、該フロントプリントデータの画像を写真画像とともに画像として印画紙に焼き付けるサービスも提供されている。
【０００３】
従来のデジタルプリンタ等の写真処理装置では、依頼主の要望を受けて、フロントプリントデータの画像を写真画像に合成するプリントチャンネルの設定がオペレータによって操作部を介して入力され、その後、複数枚の写真画像の写真画像データとそれぞれのフロントプリントデータとを読み込んで、プリントチャンネルの設定に基づいて、フロントプリントデータの画像を写真画像とともに焼き付けるプリント処理を行っている。ここで、デジタルカメラの機種によっては、撮影時に写真画像内に撮影日時等の撮影関連情報を直接焼き込む設定が可能なものがあり、この設定によって、読み込んだ写真画像データに撮影日時等の撮影関連情報の画像データが含まれている場合がある。この撮影関連情報の画像データが含まれている場合にフロントプリントデータの画像が印画紙に合成されると、撮影日時等の撮影関連情報が重複してプリントされる問題が生じることになる。図１３は、従来のデジタルプリンタでプリント処理した写真画像の一例を示す図である。写真画像Ｐ１０では、撮影日時を示すフロントプリントデータの画像Ｆｐ１０と撮影時に写真画像内に直接焼き込まれた撮影日時を示す画像ｐ１０がともにプリントされており、このように同内容の撮影関連情報の画像が重複してプリントされた写真画像は商品価値がない。
【０００４】
この問題を解決するために、従来のデジタルプリンタでは、例えば特許文献１に示すように、読み取った写真画像データをプリント処理するまでの途中工程において、写真画像のイメージ画像を表すジャッジ画面が表示部に表示される。このジャッジ画面の表示によって、オペレータに対して、表示された写真画像に撮影関連情報の画像が予め焼き込まれているかどうかを確認させることが可能となる。そして、表示された写真画像に撮影関連情報の画像が確認された場合には、フロントプリントデータの画像を写真画像に合成しないものにプリントチャンネルを設定しなおして、写真画像データの読み込みを行う作業のやり直しがオペレータによってなされることで、印画紙に同内容の撮影関連情報の画像が重複してプリントされることが防止されている。
【特許文献１】特開２００２−００６４１８号公報
【発明の開示】
【発明が解決しようとする課題】
【０００５】
従来の写真処理装置では、ジャッジ画面において撮影関連情報の画像が写真画像に予め焼き込まれているとオペレータに確認された場合に、作業を再度やり直してプリントチャンネルの設定や写真画像データの読み込みを行う作業がオペレータに要求されるため、作業効率の向上を妨げている。
【０００６】
本発明では、上記課題を解決するために、作業効率の向上を図りながら撮影関連情報の画像の重複プリントを防止できる写真処理装置を提供することを目的とする。
【課題を解決するための手段】
【０００７】
請求項１に記載の発明は、電子的に取り込まれた写真画像にその撮影関連情報が画像として合成されてなる合成画像をプリント処理部で出力処理可能な写真処理装置において、前記写真画像を表示する表示部と、表示された写真画像に対して前記撮影関連情報の合成を禁止する指示を行う合成禁止指示手段とを備え、前記プリント処理部は、前記合成禁止指示手段によって合成の禁止が指示された写真画像に対して前記撮影関連情報の画像を合成することなく出力することを特徴とする。
【０００８】
請求項２に記載の発明は、請求項１記載の写真処理装置において、電子的に取り込まれた写真画像にその撮影関連情報の画像を合成するモードの設定を行う合成モード設定手段を備え、前記合成禁止指示手段は、前記モード設定された写真画像に対して前記撮影関連情報の合成を禁止し、前記プリント処理部は、前記モード設定され、前記合成が禁止されていない写真画像を合成画像として出力し、前記モード設定され、前記合成が禁止されている写真画像に対して前記撮影関連情報の画像を合成することなく出力することを特徴とする。
【０００９】
請求項３に記載の発明は、請求項１又は２記載の写真処理装置において、前記合成禁止指示手段は、前記合成を禁止する指示の操作を外部から受け付ける外部操作部を備えることを特徴とする。
【００１０】
請求項４に記載の発明は、電子的に取り込まれた写真画像にその撮影関連情報が画像として合成されてなる合成画像をプリント処理部で出力処理可能な写真処理装置において、写真画像に撮影関連情報の画像が予め含まれているか否かを判断する判断手段と、判断手段によって写真画像に撮影関連情報の画像が予め含まれていると判断されたときに、合成を禁止する指示を行う合成禁止指示手段とを備え、前記プリント処理部は、合成禁止指示手段によって合成の禁止が指示された写真画像に対して撮影関連情報の画像を合成することなく出力することを特徴とする。
【００１１】
請求項５に記載の発明は、請求項１〜４のいずれかに記載の写真処理装置において、前記撮影関連情報は撮影日付であることを特徴とする。
【発明の効果】
【００１２】
請求項１に記載の発明に従えば、電子的に取り込まれた写真画像にその撮影関連情報が画像として合成されてなる合成画像をプリント処理部で出力処理可能な写真処理装置において、表示部に写真画像が表示され、合成禁止指示手段によって、表示された写真画像に対して撮影関連情報の合成を禁止する指示がなされることが可能であり、プリント処理部によって、合成の禁止が指示された写真画像に対して撮影関連情報の画像が合成されることなく出力される。
【００１３】
写真画像には、撮影装置の設定等によって撮影時に日付等の撮影関連情報が焼き付けられ、予め撮影関連情報を含むものがあり、かかる写真画像に撮影関連情報が画像として合成されて出力されると、撮影関連情報が重複して出力されることになる。本発明によれば、表示部に表示された写真画像に撮影関連情報が焼き付けられていると確認された場合に、合成禁止指示手段による合成の禁止の指示によって、指示された写真画像に撮影関連情報が合成処理されないで出力されることが可能となり、オペレータに対して、例えば、写真画像を電気的に取り込んで、プリント処理部で合成画像を出力処理しないモードに設定し直す等の作業のやり直しを要求することなく、操作性の向上を図りながら撮影関連情報が重複してプリントされることを効果的に防止することができる。
【００１４】
請求項２に記載の発明に従えば、電子的に取り込まれた写真画像にその撮影関連情報の画像を合成するモードの設定が合成モード設定手段によって行われ、モード設定された写真画像は、操作者の指示に基づいて、合成禁止指示手段によって撮影関連情報の合成を禁止され、モード設定され、合成が禁止されていない写真画像が前記プリント処理部によって合成画像として出力され、モード設定され、合成が禁止されている写真画像がプリント処理部によって撮影関連情報の画像を合成することなく出力される。これによって、電子的に取り込まれた写真画像にその撮影関連情報の画像を合成するモードの設定がなされている場合であっても、表示部において、表示された写真画像に撮影関連情報が焼き付けられていると確認された場合に、合成の禁止が指示され、写真画像を電気的に取り込んだ上、モード設定の解除を行う操作をオペレータに対して要求することなく、撮影関連情報が重複してプリントされることを効果的に防止することができる。
【００１５】
請求項３に記載の発明に従えば、合成禁止指示手段は、合成を禁止する指示の操作を外部から受け付ける外部操作部を備えるため、オペレータは、表示された写真画像を確認して、外部操作部を用いて合成を禁止する指示を入力することで写真画像にその撮影関連情報の画像を合成する指示を行うことができる。
【００１６】
請求項４に記載の発明は、電子的に取り込まれた写真画像にその撮影関連情報が画像として合成されてなる合成画像をプリント処理部で出力処理可能な写真処理装置において、判断手段によって写真画像に撮影関連情報の画像が予め含まれているか否かが判断され、写真画像に撮影関連情報の画像が予め含まれていると判断されたときに、合成禁止指示手段によって合成を禁止する指示が行われ、プリント処理部によって、合成の禁止が指示された写真画像に対して撮影関連情報の画像が合成されることなく出力される。写真画像には、撮影装置の設定等によって撮影時に日付等の撮影関連情報が焼き付けられているものがあり、かかる写真画像に撮影関連情報が画像として合成されて出力されると、撮影関連情報が重複して出力されることになる。
【００１７】
本発明によれば、写真画像に撮影関連情報の画像が予め含まれているか否かが自動的に判断され、写真画像に撮影関連情報の画像が予め含まれていると判断された場合には、合成が禁止されて、指示された写真画像に撮影関連情報が合成処理されないで出力されることが可能となり、オペレータに対して、例えば、写真画像を電気的に取り込んで、プリント処理部で合成画像を出力処理しないモードに設定し直す等の作業のやり直しを要求することなく、操作性の向上を図りながら撮影関連情報が重複してプリントされることを効果的に防止することができる。また、オペレータの判断に委ねることなく、自動的に、写真画像に撮影関連情報の画像が予め含まれているか否かが判断されるため、オペレータの確認ミスや操作ミスによって、撮影関連情報が重複してプリントされることを効果的に防止することができる。
【００１８】
請求項５に記載の本発明に従えば、撮影関連情報は撮影日付であるため、撮影日時の重複プリントによる出力プリントの商品価値の低下を防止することができる。
【発明を実施するための最良の形態】
【００１９】
（第１の実施の形態）
以下、図１〜図８を用いて、本発明の写真処理装置をデジタルプリンタに適用した場合の第１の実施の形態について説明する。デジタルプリンタとは、デジタルカメラ等の撮影装置で撮像した写真画像を直接印画紙片上にプリントしたり、銀塩フィルム上に形成された写真画像を一旦スキャナで読み込み、印画紙片上にプリントするためのものである。図１は、第１の実施の形態に係るデジタルプリンタ（写真処理装置）の外観構成図である。
【００２０】
デジタルプリンタ１は、デジタルカメラやスキャナの撮像素子の各画素に対応する印画紙上の微小領域をＲ（赤）、Ｇ（緑）及びＢ（青）又はＹ（黄）、Ｍ（マゼンタ）及びＣ（シアン）の三原色のいずれかの光で露光処理し、露光処理された印画紙を現像処理することによって写真画像を形成する画像形成部１００と、入力された写真画像データに所定の処理を施して画像形成部１００に出力する画像データ処理部２００とで構成されている。
【００２１】
画像形成部１００は、それぞれ幅の異なる複数種類（例えば２種類）の長尺印画紙を巻回収納したマガジン１０１，１０２と、マガジン１０１又は１０２から引き出した印画紙を所定サイズに切断し、切断された印画紙片上に画像データ処理部２００から送信された画像を露光する露光ユニット１０３と、露光された印画紙片を現像、漂白、定着及び安定化処理する現像処理部１０４と、現像された印画紙片を乾燥する乾燥部１０５と、乾燥された印画紙片を例えばフィルム単位に仕分けて排出するソータ部１０６等とで構成されている。以下、この写真画像の露光、現像、乾燥、乾燥された印画紙片の排出の処理について、「プリント処理」と記載する。なお、画像形成部１００は、従来のアナログ式の写真処理装置におけるフィルム上の画像を印画紙片上に拡大露光するための光源、レンズ及びシャッタ等は具備していない。
【００２２】
画像データ処理部２００は、外部から写真画像データを読み込んだり、あるいは補正後の写真画像データを外部に出力するためのデータ記録読み出し装置２０１と、フィルムや印画紙上に形成された写真画像を直接読み込むためのスキャナ２０２と、読み込んだ写真画像をモニタ表示するためのディスプレイ２０３と、所定の画像処理やプリント処理の指示を入力するためのキーボード２０４及びマウス２０５と、プリントする写真画像データに所定の処理を施し、露光ユニット１０３を制御するための制御データに変換して画像形成部１００に出力するための制御回路２０６等とで構成されている。
【００２３】
図２は、図１に示すデジタルプリンタの機能的構成を示す機能ブロック図である。デジタルプリンタ１は、操作部１０、記録媒体２０、入出力部３０、表示部４０、記憶部５０、制御部６０及びプリント処理部７０を備える。
【００２４】
操作部１０は、キーボード２０４及びマウス２０５等から実現され、オペレータから写真画像のプリントに関する各種設定事項の選択を、複数枚の写真画像について全コマ単位で乃至は１コマ単位で受け付けるものである。各種設定事項には、電子的に取り込まれた写真画像のプリントサイズ、プリント枚数、フロントプリントモード（以下、「ＦＰモード」とする）等がある。なお、プリントサイズ、プリント枚数、ＦＰモード等の所定の各種設定事項は、複数のプリントチャンネルから、オペレータが１のプリントチャンネルを選択することで、複数枚の写真画像について全コマ単位で乃至は１コマ単位で行う構成とすることができる。プリントチャンネルとは、プリントを行うラボ等で受け付け可能な注文内容に応じてオペレータによってデジタルプリンタ１に予め設定されており、１のプリントチャンネルの選択により複数種類の設定事項、例えばプリントサイズ、プリント枚数、ＦＰモードの設定事項の選択を同時に行うことを可能にする制御パッケージである。なお、プリントチャンネルは、ＤＰＯＦ規格（Ｄｉｇｉｔａｌ  Ｐｒｉｎｔ  Ｏｒｄｅｒ  Ｆｏｒｍａｔ）で作成された写真画像データをプリント処理する場合には、１コマ単位で写真画像のプリントサイズ、ＦＰモードの設定、プリント枚数等の各種設定事項を指定するプリント情報が付加されているため、各種設定事項は、オペレータに操作部１０を用いて選択されなくても、プリント情報に基づいて自動的に選択される構成であってもよい。
【００２５】
ＦＰモードは、写真画像にそのフロントプリントデータ（以下、「ＦＰデータ」とする）の画像を合成するモードであり、複数枚の写真画像について全コマ単位で乃至は１コマ単位で設定可能である。ＦＰモードが設定されない場合には、写真画像にそのＦＰデータの画像を合成しないフロントプリント無しモード（以下、「ＦＰ無しモード」とする）が設定される。ＦＰデータとは、撮像日時等の写真画像の撮影関連情報を示すものであり、ＤＰＯＦ規格やＥｘｉｆ規格等で写真画像が作成され、写真画像を撮像したデジタルカメラ等の撮像装置で付加する設定があった場合に写真画像データに付加されるものである。
【００２６】
また、操作部１０（外部操作部、合成禁止指示手段）は、ＦＰ無しモードが設定されているコマについてＦＰデータの画像の合成を個別に指示する合成指示や、ＦＰモードが設定されているコマについてＦＰデータの画像の合成を個別に禁止する合成禁止指示の操作を外部から受け付けるものである。操作部１０が合成指示の操作を受け付けた場合には、ＦＰ無しモードが設定されていても、ＦＰデータの画像が写真画像に合成され、合成禁止指示の操作を受け付けた場合には、ＦＰモードが設定されていても、ＦＰデータの画像が写真画像に合成されない。また、操作部１０は、オペレータの写真画像をプリント処理するプリント処理指令の操作を受け付ける。
【００２７】
記録媒体２０は、メモリカードやＣＤ−Ｒ等で実現され、デジタルカメラ等の撮像装置で撮像された写真画像の写真画像データやＦＰデータ等が記録されるものである。入出力部３０は、データ記録読み出し装置２０１等で実現され、例えば操作部１０でプリントチャンネル等の各種設定事項の選択がなされて制御部６０で設定された後、記録媒体２０に記録されている写真画像データやＦＰデータを入力し、記憶部５０に読み込ませるものである。なお、入出力部３０は、記録媒体２０からではなく、モデムやＬＡＮボード及び通信回線などを介して、他の装置との間で直接データの送受信をすることで、写真画像データとＦＰデータとを入力する構成であってもよい。
【００２８】
表示部４０は、ディスプレイ２０３等から実現され、プリントチャンネル等、操作部１０を用いての各種設定の入力をオペレータに対してガイドするガイド画面や、デジタルプリンタ１の読み取った写真画像のイメージ画像を１コマ単位で乃至は所定数のコマ単位で表示する画面をジャッジ画面として表示するものである。このイメージ画像は、写真画像と同内容（同一コマ）で、より粗い画像である。表示部４０は、プリントチャンネルの設定、写真画像データの読み込み等、所定の処理の実行後にジャッジ画面を表示し、イメージ画像の表示によって写真画像データに撮影日時等の撮影関連情報の画像データ（撮影関連情報）が予め含まれていないかをオペレータに確認させることができるようになっている。すなわち、デジタルカメラ等の撮影装置によっては、撮影時に写真画像に撮影日時等の撮影関連情報を焼き付ける設定を行うことができ、この設定で撮像されることで、写真画像データに撮影日時等の撮影関連情報の画像データ（以下、「撮影関連画像データ」とする）が予め含まれている場合がある。かかる場合に、ＦＰモードが設定されてＦＰデータの画像が写真画像に合成されると、同内容の撮影関連情報が重複して印画紙片にプリントされることになり、商品価値のないプリントが出力されることになる。表示部４０では、ジャッジ画面を表示することで、写真画像データに撮影関連画像データが含まれているか否か、オペレータに視覚的に確認させることが可能になっている。
【００２９】
また、表示部４０は、ジャッジ画面の表示後、ジャッジ画面にイメージ画像として表示された写真画像に対する画像補正の指示及び合成指示や合成禁止指示等の操作部１０への入力を、オペレータにガイドする設定変更用ガイド画面を表示するものである。これらの指示は、表示された写真画像について１コマ単位で（表示された写真画像のそれぞれに対して）入力可能になっている。これによって、ジャッジ画面で写真画像データに撮影関連画像データが含まれていると確認される場合であっても、再度プリントチャンネルの設定等でＦＰモード無しモードを設定し、写真画像データの読み込みを行う等の作業のやり直しをオペレータに対して要求することなく、撮影関連画像データが含まれるコマの写真画像データについてのみ合成禁止指示を入力するだけの簡易な作業で、ＦＰデータの画像が写真画像に合成されることで、同内容の撮影関連情報が重複して印画紙片にプリントされる不具合を防止することが可能になっている。なお、画像補正には、色補正、露光量調整等が含まれ、イメージ画像は画像補正の指示の入力に応じて変更されるため、調整量をオペレータに確認させることが可能となっている。画像補正指示が入力されることにより、その内容を示す調整用データが生成されてコマ毎に対応して記憶され、調整用データはプリントデータ生成時に読み出されて反映されるため、調整量に応じたプリント処理が行われることになる。
【００３０】
記憶部５０は、画像データ処理部２００等で実現され、ＲＡＭ（Ｒａｎｄｏｍ  Ａｃｃｅｓｓ  Ｍｅｍｏｒｙ）等で構成されることで、後述する制御部６０の作業領域として機能するものである。記憶部５０は、入出力部３０を介して入力される写真画像データとＦＰデータとを読み込むと共に、プリントチャンネル等の各種設定の内容を示す情報である設定情報や、操作部１０で合成指示や合成禁止指示を受け付けたことを示す設定変更情報等を記憶する。
【００３１】
制御部６０は、制御回路２０６等で実現され、モード設定部６１、画像表示制御部６２、設定変更部６３、画像処理部６４及びプリント制御部６５を有する。モード設定部６１は、操作部１０に受け付けられたプリントチャンネル、ＦＰモード等の各種設定事項の選択に従って、各種設定を記憶部５０に読み込まれた写真画像に全コマ単位で乃至は１コマ単位で対応づけて行い、該各種設定の内容を示す設定情報を記憶部５０に記憶させる。また、モード設定部６１は、合成モード設定手段として機能し、ＦＰモードを設定することで、写真画像にそのＦＰデータの画像を合成する設定を行うものである。
【００３２】
画像表示制御部６２は、ガイド画面やジャッジ画面等の表示画面を作成して、表示部４０に表示させるものである。また、画像表示制御部６２は、写真画像のイメージ画像を作成してジャッジ画面において表示させる。
【００３３】
設定変更部６３は、上述したジャッジ画面の表示に基づいて、各種設定の変更の指示が操作部１０に受け付けられた場合に各種設定を変更し、該変更内容を反映させて記憶部５０の設定情報の内容を変更するものである。また、設定変更部６３は、操作部１０によって合成指示及び合成禁止指示の操作が受け付けられた場合に、これらの指示の受け付けを示す設定変更情報を写真画像に１コマ単位で乃至は全コマ単位で対応づけて記憶部５０に記憶させるものである。設定変更情報は、例えば合成指示や合成禁止指示の受け付けによって立てられるフラグ等である。設定情報でＦＰモードの設定が示されている場合であっても、設定変更情報で合成禁止指示の受け付けが示されているときには、そのコマの写真画像にＦＰデータの画像を合成することが禁止されるため、設定変更部６３は、合成禁止指示手段として機能し、設定変更情報を記憶部５０に記憶させることで該禁止の指示を実行するものである。設定情報でＦＰ無しモードの設定が示されている場合であっても、設定変更情報で合成指示の受け付けが示されているときには、そのコマの写真画像にＦＰプリントデータの画像が合成されるため、設定変更部６３は、設定変更情報を記憶部５０に記憶させることで該合成の指示を行うものである。
【００３４】
画像処理部６４は、イメージ画像に基づいて入力された画像補正の指示に従って写真画像データを補正し、上述のように、設定情報及び設定変更情報に従って、補正された写真画像データの所定位置にＦＰデータを合成して乃至は合成せずにプリントデータとして生成するものである。すなわち、設定情報でＦＰモードの設定が示されている場合であっても、設定変更情報で合成禁止指示の受け付けが示されているときには、補正された写真画像データにＦＰデータが合成処理されない。設定情報でＦＰモードの設定が示されている場合であって、設定変更情報で合成禁止指示の受け付けが示されていないときには、補正された写真画像データにＦＰデータが合成処理される。設定情報でＦＰ無しモードの設定が示されている場合であっても、設定変更情報で合成指示の受け付けが示されているときには、補正された写真画像データにＦＰデータが合成処理される。設定情報でＦＰ無しモードの設定が示されている場合であって、設定変更情報で合成指示の受け付けが示されていないときには、補正された写真画像データにＦＰデータが合成処理されない。
【００３５】
プリント制御部６５は、画像処理部６４で生成されたプリントデータを制御データに変換して出力する等、設定情報及び設定変更情報に従った内容でプリント処理をさせるための制御信号をプリント処理部７０に対して出力するものである。
【００３６】
プリント処理部７０は、画像形成部１００等で実現され、プリント制御部６５からの制御信号が入力され、該制御信号に従ってプリント処理を実行するものである。すなわち、プリント処理部７０は、入力された制御信号に従って、所定種類の印画紙を所定サイズの印画紙片に切断し、入力されたプリントデータを該印画紙片上にドット単位で露光して焼き付け、所定の薬液で現像処理した後に乾燥させ、仕上がりプリントとして排出するものである。ここで、ＦＰデータを合成処理されたプリントデータが入力された場合には、写真画像にＦＰデータの画像を合成してなる合成画像が仕上がりプリントとして出力処理され、ＦＰデータを合成処理されないプリントデータが入力された場合には、ＦＰデータの画像を合成されない写真画像からなる非合成画像が出力処理されることになる。
【００３７】
図３は、図２に示す写真処理装置の実行する処理の一例を示すフローチャートである。各種設定事項を入力するためのガイド画面であるプリントＣＨ設定画面が表示部４０に表示され、オペレータによるフロントプリントチャンネル等の各種設定事項の選択が操作部１０に受け付けられると、モード設定部６１によって各種設定がなされ、設定情報が記憶部５０に記憶される（Ｓ１）。図４は、図３で示す処理のステップ１で表示されるプリントＣＨ設定画面の一例を示す図である。プリントＣＨ設定画面Ｓｃ１では、プリントチャンネル入力領域ｂ１、フロントプリント指示領域ｂ２、設定登録指示ボタンｂ３、設定キャンセル指示ボタンｂ４等が表示される。
【００３８】
プリントチャンネル入力領域ｂ１は、プリントチャンネル番号を操作部１０のテンキー等を用いてオペレータに入力されることによって、１のプリントチャンネルが選択されるものであり、例えば、プリントチャンネル番号「８９」が入力されると、「デジカメ、Ｌ版プリント、ＦＰモード」等が選択されることになり、プリントＣＨ設定画面Ｓｃ１における所定の入力項目の設定が不要になる。また、例えば、別のプリントチャンネル「８８」が入力されると「デジカメ、Ｌ版プリント、ＦＰ無しモード」が選択されることになる。フロントプリント指示領域ｂ２は、ＦＰデータの画像が写真画像に合成される位置の指定のためのものであり、例えば、「右詰め」、「左詰め」、「中央寄せ」等からオペレータが選択的に入力することが可能である。設定登録指示ボタンｂ３は、プリントＣＨ設定画面Ｓｃ１で入力された各種設定事項の確定を指示するものであり、設定キャンセル指示ボタンｂ４は、再度入力し直すことを目的として、プリントＣＨ設定画面Ｓｃ１で入力された各種設定事項のキャンセルを指示するためのものである。
【００３９】
図３に戻って、ステップ２では、記録媒体２０から写真画像データやＦＰデータ等の読み込みが、入出力部３０によって行われ、画像表示制御部６２によってジャッジ画面が表示される（Ｓ３）。図５は、図３で示す処理のステップＳ３で表示されるジャッジ画面の一例を示す図である。ジャッジ画面Ｓｃ２には、各コマの写真画像のイメージ画像Ｐ１〜Ｐｎのうち最初の６枚分のイメージ画像Ｐ１〜Ｐ６が表示されている。このうちイメージ画像Ｐ１、Ｐ２には撮影日時の画像ｐ１、ｐ２が表示されており、イメージ画像Ｐ１、Ｐ２に対応する写真画像データは予め撮影日時の撮影関連画像データを含むものであることが確認される。すなわち、ＦＰモードが設定されている場合には、イメージ画像Ｐ１、Ｐ２に対応する写真画像には、撮影日時等のＦＰデータの画像が合成されるため、撮影日時が重複してプリントされることがオペレータに確認される。また、ジャッジ画面Ｓｃ２には、Ｆボタンｂ５と、スタートボタンｂ６が表示される。Ｆボタンｂ５は、イメージ画像Ｐ１〜Ｐｎを見たオペレータが画像補正等の各種設定を変更したい場合や合成指示、合成禁止指示を入力したい場合に、設定変更用ガイド画面の表示を指示するためのものである。また、スタートボタンｂ６は、イメージ画像ｐ１〜ｐｎの内容でプリント処理の開始を指示するためのものである。なお、各種設定の変更や合成指示、合成禁止指示は、設定を変更するコマに対応するイメージ画像を選択することによってコマ単位で行うことが可能である。
【００４０】
図３に戻って、ステップＳ４では、表示部４０に設定変更用ガイド画面が表示され、この表示にガイドされて、操作部１０によって各種設定の変更指示の受け付けが有ったか設定変更部６３で判断される。各種設定の変更指示の受け付けが有ったと判断される場合には（Ｓ４でＹＥＳ）、設定変更部６３によって各種設定の変更処理が行われ（Ｓ５）、設定情報の変更を行う。各種設定の変更指示の受け付けが有ったと判断されない場合には（Ｓ４でＮＯ）、ステップ６が実行される。
【００４１】
図６は、図３で示す処理のステップＳ４で表示される設定変更用ガイド画面の一例を示す図である。設定変更用ガイド画面Ｓｃ３には、図５で示すＦボタンｂ５がマウス等で選択されることで表示されるものであり、設定変更用ボタンが表示され、このうち１のボタンが選択されることで、選択されたボタンに対応する内容の設定変更用ガイド画面が表示されるようになっている。例えば、設定変更用ガイド画面Ｓｃ３には、設定変更用ボタンの一つとして、フロントプリント印字設定ボタンｂ７が表示されており、ここで、フロントプリント印字設定ボタンｂ７が選択されることで、合成指示・合成禁止指示入力用ガイド画面が表示されるようになっている。また、設定変更用ガイド画面Ｓｃ３には、キャンセルボタンｂ８が表示され、キャンセルボタンｂ８が選択されると、ジャッジ画面が再表示されるようになっている。
【００４２】
図３に戻って、ステップＳ６では、合成指示・合成禁止指示入力用ガイド画面が表示され、この表示にガイドされて、合成指示又は合成禁止指示が操作部１０に受け付けられたか設定変更部６３によって判断され、合成指示又は合成禁止指示が受け付けられたと判断される場合には（Ｓ６でＹＥＳ）、設定変更部６３によって設定変更情報としてフラグが立てられる（Ｓ７）。合成指示又は合成禁止指示が受け付けられたと判断されない場合には（Ｓ６でＮＯ）、ステップＳ８が実行される。
【００４３】
図７は、図３で示す本処理のステップＳ６で表示される合成指示・合成禁止指示入力用ガイド画面の一例を示す図である。合成指示・合成禁止指示入力用ガイド画面Ｓｃ４には、設定変更指示領域ｂ９と、適用コマ指示領域ｂ１０、ｂ１１と、登録指示ボタンｂ１２と、キャンセル指示ボタンｂ１３とが表示される。設定変更指示領域ｂ９は、合成指示又は合成禁止指示を入力するための欄であり、「フロントプリント無し」、「右詰め」、「左詰め」、「中央寄せ」等の項目から１の項目がオペレータに選択されることで合成指示又は合成禁止指示の入力がなされる。すなわち、ＦＰモードが設定されている場合には、「フロントプリント無し」が選択操作されることで、合成禁止指示が操作部１０によって受け付けられ、設定変更情報としてフラグが立てられる。また、ＦＰ無しモードが選択されている場合には、「右詰め」、「左詰め」、「中央寄せ」のいずれかが選択操作されることで、合成指示が操作部１０によって受け付けられ、設定変更情報としてフラグが立てられる。なお、ＦＰモードが設定されている場合であって、「右詰め」、「左詰め」、「中央寄せ」のいずれかの設定が変更され、ＦＰデータの画像を合成する位置の設定が変更される場合には、設定変更情報としてフラグが立てられることなく、該設定の変更に対応させて設定変更部６３により設定情報の変更が行われる。適用コマ指示領域ｂ１０、ｂ１１は、合成指示又は合成禁止指示を適用するコマを指示するためのものであり、適用コマ指示領域ｂ１０が選択されると、選択したコマ単位で合成指示又は合成禁止指示が適用され、適用コマ指示領域１１が選択されると、読み取られた写真画像の全てのコマで合成指示又は合成禁止指示が適用される。登録指示ボタンｂ１２は、合成指示・合成禁止指示入力用ガイド画面Ｓｃ４に入力された変更事項の登録の指示を受け付けるためのものであり、選択操作されることで設定情報及び設定変更情報の変更が確定される。キャンセル指示ボタンｂ１３は、変更事項を再入力するために、合成指示・合成禁止指示入力用ガイド画面Ｓｃ４に入力された変更事項のキャンセルの指示を受け付けるためのものである。
【００４４】
図３に戻って、ステップ８では、スタートボタンの選択操作等でプリント処理開始の指示が操作部１０に受け付けられたかプリント制御部６５で判断される。プリント処理開始の指示が受け付けられたと判断されない場合には（Ｓ８でＮＯ）、再度ステップＳ４に戻り、プリント処理開始の指示が受け付けられたと判断される場合には（Ｓ８でＹＥＳ）、ステップＳ９が実行される。ステップＳ９では、１コマ単位でプリントデータ生成処理が実行される。図８は、図３の処理で示すステップＳ９で実行されるプリントデータ生成処理の一例を示すフローチャートである。
【００４５】
まず、画像処理部６４によってコマ単位で写真画像データの画像補正が指示されて、調整用データが記憶されているかどうかが判断され（ステップＳ９１）、画像補正が指示されていると判断される場合には（Ｓ９１でＹＥＳ）、調整用データに基づいて補正処理がなされ（Ｓ９２）、その後ステップＳ９３が実行される。画像補正が指示されていないと判断される場合には（Ｓ９１でＮＯ）、ステップＳ９３が実行され、ＦＰデータの画像を写真画像に合成する設定がなされているか画像処理部６４によって判断される。すなわち、ＦＰデータの画像を写真画像データに合成する設定がなされている場合とは、ＦＰモードが設定されている場合であって設定変更情報としてフラグが立てられていない場合と、ＦＰ無しモードが設定されている場合であって設定変更情報としてフラグが立てられている場合とであるため、設定情報及び設定変更情報に基づいて、かかる場合であるか否か画像処理部６４によって判断される。
【００４６】
ＦＰデータの画像を写真画像に合成する設定がなされていると判断されない場合には（Ｓ９３でＮＯ）、プリントデータ生成処理が終了し、ＦＰデータを合成しない写真画像データがプリントデータとされる。ＦＰデータの画像を写真画像に合成する設定がなされていると判断される場合には（Ｓ９３でＹＥＳ）、写真画像データにＦＰデータが付加されているか、すなわち写真画像データに対応するＦＰデータが記憶部５０に記憶されているか画像処理部６４によって判断され（Ｓ９４）、記憶されていると判断されない場合には（Ｓ９４でＮＯ）、プリントデータ生成処理が終了し、ＦＰデータを合成しない写真画像データがプリントデータとされる。ＦＰデータが記憶部５０に記憶されていると判断される場合には（Ｓ９４でＹＥＳ）、画像処理部６４によって写真画像データの所定位置にＦＰデータが合成処理されて、プリントデータが生成され、プリントデータ生成処理は終了する。ここで写真画像データのＦＰデータを合成処理される位置は、設定情報の設定（例えば、左詰め、右詰め、中央部等の設定）に基づいて決定される。
【００４７】
図３に戻って、ステップ９の実行後、ステップＳ１０が実行される。ステップＳ１０では、プリント制御部６５から出力された制御信号に従ってプリント処理がプリント処理部７０で実行される。すなわち、ステップ９で生成されたプリントデータが制御データとして出力され、プリント処理のための制御信号が出力され、制御信号に従って所定の印画紙片に所定枚数だけ、入力されたプリントデータがドット単位で露光され、現像処理、乾燥処理、仕上がりプリント排出処理等の所定のプリント処理がなされる。その後、プリント制御部６５で記憶部５０に記憶されている写真画像データの全コマについてのプリント処理が終了したかどうか判断され（Ｓ１１）、全コマのプリント処理が終了したと判断されない場合には（Ｓ１１でＮＯ）、ステップＳ９に戻り、全コマのプリント処理が終了したと判断される場合には（Ｓ１１でＹＥＳ）、本処理は終了する。
【００４８】
上述したデジタルプリンタ１では、ジャッジ画面の表示後、合成禁止指示の入力をガイドするための合成指示・合成禁止指示入力用ガイド画面が表示部４０に表示され、ジャッジ画面に表示された写真画像について１コマ単位で乃至は全コマ単位で合成禁止指示を操作部１０によって受け付け可能であり、合成禁止指示がなされた写真画像については、ＦＰデータの画像が合成されることなくプリント処理部７０でプリントされる。これによって、写真画像データに撮影関連画像データが含まれているとジャッジ画面の表示に基づいて確認される場合であっても、再度プリントチャンネル等を設定して写真画像データの読み込みを行う等の作業のやり直しをオペレータに対して要求することなく、撮影関連画像データが含まれるコマの写真画像データについてのみ合成禁止指示を入力するだけの簡易な作業で、ＦＰデータの画像が写真画像に合成されることで同内容の撮影関連情報が重複して印画紙片にプリントされる不具合を防止することができる。また、合成禁止指示及び合成指示は、ジャッジ画面にイメージ画像として表示された写真画像について１コマ単位で受け付けられることが可能であるため、多数の写真画像がプリントされる場合に、撮影関連画像データが含まれる少数の写真画像データのために、再度多数の画像データについて各種設定事項の選択を行う操作上の煩をオペレータに与えないことができる。
【００４９】
なお、第１の実施の形態では、操作部１０で合成指示を受け付ける構成であるが、本発明では合成指示を受け付けず、合成禁止指示のみ受け付けて、ＦＰ無しモードが設定された写真画像についてＦＰデータの画像の合成を指示できない構成であってもよい。
【００５０】
（第２の実施の形態）
以下、図９〜１２を用いて、本発明の第２の実施の形態にかかるデジタルプリンタ１ａを説明する。第２の実施の形態において、デジタルプリンタ１ａは、予め、読み込んだ写真画像データに撮影関連画像データが含まれるか否かを自動で判断する構成を備える点が第１の実施の形態とは異なっている。図９は、第２の実施の形態にかかるデジタルプリンタの機能的構成を示す機能ブロック図である。図９では、図２に示す構成と同様の構成については同一の符号を付す。デジタルプリンタ１ａは、記憶部５００を記憶部５０に代えて備え、制御部６００を制御部６０に代えて備える点のみがデジタルプリンタ１と異なっている。
【００５１】
記憶部５００は、設定情報及び設定変更情報に加えて判定情報テーブルを更に記憶する。判定情報テーブルとは、撮影装置の機種（種類）と、撮影装置の機種に対応する（該機種で使用される）撮影関連画像データのフォントの特徴及び写真画像データにおける位置とを示すものである。制御部６００は、モード設定部６１、画像表示制御部６２、設定変更部６３、画像処理部６４及びプリント制御部６５に加えて画像データ判断部６６（判断手段）を更に備える。
【００５２】
画像データ判断部６６は、記憶部５００に読み込まれた写真画像データの所定位置に撮影関連画像データが含まれるか否かを判断するものである。例えば、画像データ判断部６６は、撮影日時等の撮影関連情報や撮影した撮影装置の機種等、写真画像についての所定の情報を示す写真画像情報をＦＰデータから取得し、取得した撮影装置の機種から判定情報テーブルを参照することで、その機種に対応する撮影関連画像データのフォントの特徴を取得する。画像データ判断部６６は、取得したフォントの特徴と写真画像情報に含まれる撮影関連情報とから参照用撮影関連画像データを作成する。参照用撮影関連画像データとは、撮影関連画像データを想定して作成された画像データであり、例えば、写真画像情報に含まれる撮影関連情報の内容を、判定情報テーブルから取得された特徴のフォントで表したものである。そして、画像データ判断部６６は、判定情報テーブルを参照して、撮影装置の機種に対応する撮影関連画像データの写真画像データにおける位置を取得して、取得した位置の写真画像データを抽出する。画像データ判断部６６は、該抽出データと参照用撮影関連画像データとを比較して、その類似度を判断し、その類似度によって写真画像データの所定位置に撮影関連画像データが含まれるか否かを判断する。
【００５３】
図１０は、図９に示す写真処理装置の実行する処理を示すフローチャートである。図３に示すステップと同内容の処理が実行されるステップについては同一の符号を付すものとする。第２の実施の形態における処理では、合成指示又は合成禁止指示の受け付けによってモード設定の変更を行うためのステップＳ６、ステップＳ７の処理が実行されない点と、プリント処理開始の指示が受け付けられた後に（ステップＳ８の実行後に）、データ判断・設定変更処理が、読み込まれた写真画像データについて１コマ単位で実行される点が異なっている。
【００５４】
図１１は、図１０に示す処理のステップＳ２０で実行されるデータ判断・設定変更処理の一例を示すフローチャートである。まず、画像データ判断部６６によって、ＦＰモードが設定されているか設定情報に基づいて判断される（ステップＳ２０１）。ＦＰモードが設定されていると判断されない場合には（Ｓ２０１でＮＯ）、本処理は終了し、図１０のステップ９が実行される。ＦＰモードが設定されていると判断される場合には（Ｓ２０１でＹＥＳ）、ＦＰデータが写真画像データに付加されているか、すなわち記憶部５００に記憶されているか画像データ判断部６６によって判断される（Ｓ２０２）。ＦＰデータが記憶されていると判断されない場合には（Ｓ２０２でＮＯ）、本処理は終了して図１０のステップＳ９が実行され、ＦＰデータが記憶されていると判断される場合には（Ｓ２０２でＹＥＳ）、写真画像情報が画像データ判断部６６によってＦＰデータから取得される（Ｓ２０３）。そして、判定情報テーブルが参照されて（Ｓ２０４）、写真画像情報に含まれる写真画像の撮影装置の機種から、その機種に対応するフォントの特徴が取得される。
【００５５】
図１２は、図１１に示す処理のステップＳ２０４で参照される判定情報テーブルの一例を示す図である。判定情報テーブルＴａ１には、撮影装置の機種と、機種に対応するフォントの特徴として、フォント形状、フォントサイズ、フォント色、フォントの縁の有無及びフォントの縁の色が示されると共に、機種に対応する撮影関連画像データの写真画像データにおける位置とが示されている。判定情報テーブルＴａ１が参照されることで、写真画像情報に含まれる写真画像データの撮影装置の機種から、その機種に対応するこれらのフォントの特徴及び撮影関連画像データの写真画像データにおける位置が画像データ判断部６６に取得される。
【００５６】
図１１に戻って、ステップＳ２０５が実行され、フォントの特徴及び写真画像情報に含まれる撮影関連情報に基づいて、参照用撮影関連画像データが画像データ判断部６６によって作成される。すなわち、写真画像情報に含まれる撮影関連情報の内容を、判定情報テーブルから取得された特徴のフォントで表した画像データが、参照用撮影関連画像データとして作成される。そして、写真画像データにおける所定位置のデータが、画像データ判断部６６によって抽出される（Ｓ２０６）。ここで、写真画像データにおける所定位置とは、ステップＳ２０４で判定情報テーブルを参照することで取得された、写真画像の撮影装置に対応する写真画像データにおける撮影関連画像データの位置である。
【００５７】
画像データ判断部６６で、抽出データと参照用撮影関連画像データとが比較される（Ｓ２０７）。そして、両データの類似度に基づいて、写真画像データに撮影関連画像データが含まれているか画像データ判断部６６によって判断される（Ｓ２０８）。例えば、類似度が所定値以上（例えば、０〜１で表す場合に０．５以上）に高い場合には、写真画像データに撮影関連画像データが含まれていると判断され、類似度が所定値より（例えば、０〜１で表す場合に０．５以上）低い場合には、写真画像データに撮影関連画像データが含まれていないと判断される。そして、撮影関連画像データが含まれていると判断されたか設定変更部６３で判断され（Ｓ２０９）、撮影関連画像データが含まれていると判断された事実がない場合には（Ｓ２０９でＮＯ）、本処理は終了し、撮影関連画像データが含まれていると判断された事実がある場合には（Ｓ２０９でＹＥＳ）、設定変更部６３によって、設定変更情報としてフラグが立てられ、合成禁止指示の設定がなされる（Ｓ２１０）。
【００５８】
上記した第２の実施の形態において、デジタルプリンタ１ａでは、コマ単位で写真画像データに撮影関連画像データが含まれていないか画像データ判断部６６によって自動で判断され、含まれていると判断される場合には、設定変更情報としてフラグが立てられるため、ＦＰモードが設定されていても合成画像ではなく非合成画像がプリント処理部７０でプリントされる。これによって、第１の実施の形態における効果と同様の効果を奏するとともに、写真画像データに撮影関連画像データが含まれているか、オペレータに判断を委ねることなく自動で判断されるため、オペレータの確認ミスや操作ミスによって撮影関連情報が重複してプリントされることを効果的に防止することができる。また、写真画像データに撮影関連画像データが含まれることを示す情報が付加されていなくても自動で撮影関連画像データの有無を判断することができるため、撮影装置側の機能に依存することなくデジタルプリンタ１ａの機能で判断することが可能となり、判断可能な写真画像データを可及的に多くすることができる。
【００５９】
また、撮影装置の機種と、その機種に対応する撮影関連画像データのフォントの特徴とが記憶され、これらの情報とＦＰデータから取得され写真画像の撮影装置の機種や撮影関連情報とから参照用撮影関連画像データが作成されることから、撮影関連画像データに近似した画像データが参照用撮影関連画像データとして作成されることが可能となり、可及的に正確に撮影関連画像データの有無を判断することができる。また、撮影装置の機種と、その機種に対応する撮影関連画像データの写真画像データにおける位置とが記憶され、これらの情報とＦＰデータから取得された写真画像の撮影装置の機種とから、写真画像データにおける撮影関連画像データが含まれると推測される位置が取得され、該位置のデータが抽出されて、抽出データと参照用撮影関連画像データとが比較されるため、撮影関連画像データが含まれる蓋然性の高いデータで撮影関連画像データの有無を判断することが可能となり、可及的に正確に撮影関連画像データの有無を判断することができる。
【００６０】
なお、第２の実施の形態では、参照用撮影関連画像データを作成して、所定位置の写真画像データと比較することで写真画像データに撮影関連画像データが含まれているか判断されているが、判断方法はこれに限定されず、参照用撮影関連画像データが作成されない構成であってもよい。かかる構成では、例えば、画像データ判断部６６によって、写真画像データの所定位置に数字の画像データが含まれていることが判断された場合に、撮影日時の撮影関連画像データが含まれていると判断されることで判断されてもよく、また、写真画像データの所定位置に特定の色の画像データが含まれていることが判断された場合に、撮影関連画像データが含まれていると判断されてもよい。
【００６１】
また、判定情報テーブルが記憶部５００に記憶されるに限定されず、テーブル以外の形式で情報を記憶する構成であってもよい。また、上述のように、参照用撮影関連画像データが作成されない構成であってもよいため、記憶部５００が撮影装置の機種等の情報を記憶する構成でなくてもよい。なお、写真画像データにおいて撮影関連画像データが含まれていないか判断される位置は、判定情報テーブルを参照して取得されるに限られず、全ての写真画像データについて一律に同じ位置で判断されてもよい。さらに、プリントチャネル設定を行う工程のない場合、つまり各コマ画像を個別に表示して、撮影関連画像データの合成を指示する場合でも、画像中に撮影関連画像データが埋め込まれていることに操作者が気付かないときでも好適な対応が行えるメリットがある。
【００６２】
上記各実施の形態では、ＦＰモードやＦＰ無しモードの設定は、プリントチャンネルの設定によって行われるものとしたが、本発明では、これに限られず、個別に設定できる構成であってもよい。また、プリントチャンネルの設定ができない構成であり、各種設定事項の選択について全て操作部１０を介して入力を要する設定であってもよい。なお、上記各実施の形態では、合成禁止指示を受け付けた場合に、設定変更情報としてフラグが立てられる構成であるが、これに限定されず、設定情報のＦＰモードの設定をＦＰ無しモードの設定に変更する等の構成であってもよく、ＦＰモードが設定された写真画像についてＦＰデータの画像が合成されることを禁止可能な構成であればよい。
【００６３】
また、上記各実施の形態では、ＤＰＯＦやＥｘｉｆで作成された場合に付加されるＦＰデータを例として説明したが、本発明では、これに限定されず、写真画像に合成される撮影関連情報を示すデータであればよい。また、撮影関連情報は、撮影日時に限定されず、撮影場所等、写真画像についての説明的事項や記録的事項等であればよい。なお、上記各実施の形態ではデジタルプリンタを例にして説明したが、これに限定されるものではなく、パーソナルコンピュータ及びそれに接続されたカラープリンタ、例えば熱転写式カラープリンタ、インクジェット式カラープリンタ及びレーザ式カラープリンタなどであってもよい。
【図面の簡単な説明】
【００６４】
【図１】第１の実施の形態に係るデジタルプリンタの外観構成図である。
【図２】図１に示すデジタルプリンタの機能的構成を示す機能ブロック図である。
【図３】図２に示す写真処理装置の実行する処理の一例を示すフローチャートである。
【図４】図３で示す処理のステップ１で表示されるプリントＣＨ設定画面の一例を示す図である。
【図５】図３で示す処理のステップＳ３で表示されるジャッジ画面の一例を示す図である。
【図６】図３で示す処理のステップＳ４で表示される設定変更用ガイド画面の一例を示す図である。
【図７】図３で示す本処理のステップＳ６で表示される合成指示・合成禁止指示入力用ガイド画面の一例を示す図である。
【図８】図３の処理で示すステップＳ９で実行されるプリントデータ生成処理の一例を示すフローチャートである。
【図９】第２の実施の形態にかかるデジタルプリンタの機能的構成を示す機能ブロック図である。
【図１０】図９に示す写真処理装置の実行する処理を示すフローチャートである。
【図１１】図１０に示す処理のステップＳ２０で実行される撮影関連画像データ判断・設定変更処理の一例を示すフローチャートである。
【図１２】図１１に示す処理のステップＳ２０４で参照される判定情報テーブルの一例を示す図である。
【図１３】従来のデジタルプリンタでプリント処理した写真画像の一例を示す図である。
【符号の説明】
【００６５】
１、１ａ    デジタルプリンタ（写真処理装置）
１０        操作部（外部操作部、合成禁止指示手段）
４０        表示部
６１         モード設定部（合成モード設定手段）
６３         設定変更部（合成禁止指示手段）
６６         画像データ判断部（判断手段）
７０         プリント処理部
【図１】
2005102067.tif 000003
【図２】
2005102067.tif 000004
【図３】
2005102067.tif 000005
【図４】
2005102067.tif 000006
【図５】
2005102067.tif 000007
【図６】
2005102067.tif 000008
【図７】
2005102067.tif 000009
【図８】
2005102067.tif 000010
【図９】
2005102067.tif 000011
【図１０】
2005102067.tif 000012
【図１１】
2005102067.tif 000013
【図１２】
2005102067.tif 000014
【図１３】
2005102067.tif 000015